【手続補正書】
【提出日】平成20年5月23日(2008.5.23)
【手続補正１】
【補正対象書類名】特許請求の範囲
【補正対象項目名】全文
【補正方法】変更
【補正の内容】
【特許請求の範囲】
【請求項１】
光を出射する光源と、
信号を記録可能なディスクに対向して配置され、前記光源から出射された前記光を近接場光として前記ディスクに集光させることが可能な集光素子と、
電圧の変化に基づき前記集光素子を前記ディスクに離接させる離接機構と、
前記光が近接場光として前記ディスクに集光していることを検出する検出手段と、
前記離接機構により、前記ディスクからの距離が、前記集光素子によって前記光が近接場光として前記ディスクに集光される第１の距離となるまで前記集光素子が接近したことを前記検出手段による検出信号に基づき該検出信号を検出したときの前記電圧値をホールドし、ホールドされた電圧を解放可能なホールド手段と、
前記ホールドされた電圧が解放された状態で、該ホールドされた電圧値を最大とする電圧を前記離接機構に加えることにより、前記距離が前記第１の距離以下となるように制御する第１の制御手段と、
前記距離が前記第１の距離以下となった状態で、前記検出信号に基づき、前記集光素子と前記ディスクとの距離が前記第１の距離より小さい第２の距離となるように制御する第２の制御手段と
を具備することを特徴とする光ディスク駆動装置。
【請求項２】
請求項１に記載の光ディスク駆動装置であって、
前記検出手段による検出信号に基づき、前記第１の制御手段による制御から前記第２の制御手段による制御に切り替える切り替え手段をさらに具備することを特徴とする光ディスク駆動装置。
【請求項３】
請求項１に記載の光ディスク駆動装置であって、
前記第２の制御手段は、前記第１の制御手段により前記最大電圧が前記離接機構に加えられた状態で制御することを特徴とする光ディスク駆動装置。
【請求項４】
請求項１に記載の光ディスク駆動装置であって、
前記検出手段は、前記光源から出射された前記光の前記集光素子からの戻り光量を測定する測定手段を有し、
前記第１または第２の制御手段は、前記測定手段により測定された前記戻り光量に基づき制御することを特徴とする光ディスク駆動装置。
【請求項５】
請求項１に記載の光ディスク駆動装置であって、
前記集光素子はSolid Immersion Lensを備えていることを特徴とする光ディスク駆動装置。
【請求項６】
請求項１に記載の光ディスク駆動装置であって、
前記光源から出射される光は青色または青紫色レーザ光であることを特徴とする光ディスク駆動装置。
【請求項７】
光を出射する光源と、
信号を記録可能なディスクに対向して配置され、前記光源から出射された前記光を近接場光として前記ディスクに集光させることが可能な集光素子と、
電圧の変化に基づき前記集光素子を前記ディスクに離接させる離接機構と、
前記光が近接場光として前記ディスクに集光していることを検出する検出手段と、
前記離接機構により、前記ディスクからの距離が、前記集光素子によって前記光が近接場光として前記ディスクに集光される第１の距離となるまで前記集光素子が接近したことを前記検出手段による検出信号に基づき該検出信号を検出したときの前記電圧値をホールドし、ホールドされた電圧を解放可能なホールド手段と、
前記ホールドされた電圧が解放された状態で、該ホールドされた電圧値を最大とする電圧を前記離接機構に加えることにより、前記距離が前記第１の距離以下となるように制御する第１の制御手段と、
前記距離が前記第１の距離以下となった状態で、前記検出信号に基づき、前記集光素子と前記ディスクとの距離が前記第１の距離より小さい第２の距離となるように制御する第２の制御手段と、
前記第２の制御手段により前記第２の距離に制御されている状態で、前記ディスクに前記信号を記録すること及び前記記録された信号を再生することのうち少なくとも一方が可能な記録／再生機構と
を具備することを特徴とする光ディスク装置。
【請求項８】
請求項７に記載の光ディスク装置であって、
前記検出手段による検出信号に基づき、前記第１の制御手段による制御から前記第２の制御手段による制御に切り替える切り替え手段をさらに具備することを特徴とする光ディスク装置。
【請求項９】
請求項７に記載の光ディスク装置であって、
前記第２の制御手段は、前記第１の制御手段により前記最大電圧が前記離接機構に加えられた状態で制御することを特徴とする光ディスク装置。
【請求項１０】
請求項７に記載の光ディスク装置であって、
前記検出手段は、前記光源から出射された前記光の前記集光素子からの戻り光量を測定する測定手段を有し、
前記第１または第２の制御手段は、前記測定手段により測定された前記戻り光量に基づき制御することを特徴とする光ディスク装置。
【請求項１１】
請求項７に記載の光ディスク装置であって、
前記集光素子はSolid Immersion Lensを備えていることを特徴とする光ディスク装置。
【請求項１２】
請求項７に記載の光ディスク装置であって、
前記光源から出射される光は青色または青紫色レーザ光であることを特徴とする光ディスク装置。
【請求項１３】
光を出射する光源と、信号を記録可能なディスクに対向して配置され前記光源から出射された前記光を近接場光として前記ディスクに集光させることが可能な集光素子と、電圧の変化に基づき前記集光素子を前記ディスクに離接させる離接機構とを備える光ディスク駆動装置の駆動方法であって、
前記ディスクからの距離が、前記集光素子によって前記光が近接場光として前記ディスクに集光される第１の距離となるまで前記集光素子が接近したことを検出し、
前記検出信号に基づき、該検出信号を検出したときの前記離接機構による電圧値をホールドし、
前記ホールドされた電圧を解放し、
前記ホールドされた電圧が解放された状態で、該ホールドされた電圧値を最大とする電圧を前記離接機構に加えることにより、前記距離が前記第１の距離以下となるように制御し、
前記距離が前記第１の距離以下となった状態で、前記検出信号に基づき、前記集光素子と前記ディスクとの距離が前記第１の距離より小さい第２の距離となるように制御する
ことを特徴とする光ディスク駆動装置の駆動方法。
【手続補正２】
【補正対象書類名】明細書
【補正対象項目名】０００３
【補正方法】変更
【補正の内容】
【０００３】
このため、ＤＶＤ（Digital Versatile Disk）等のようなファーフィールド光学系では特に問題とならなかった、当該ギャップの制御開始時に１μｍ以下の距離で生じるオーバーシュートが、近接場光を用いる光記録再生装置では問題となる。つまり、制御開始時に１μｍ以下のオーバーシュートが生じても、ＳＩＬがディスクに衝突し、両者の損傷を招くことになる。
【手続補正３】
【補正対象書類名】明細書
【補正対象項目名】０００４
【補正方法】変更
【補正の内容】
【０００４】
このような問題を解決するために、ディスク側から反射されたレーザ光の戻り光量に基づいてギャップを制御する方法がある。例えば波長４００ｎｍのレーザ光を用いた場合、ニアフィールド状態になるのは、ギャップが一般に波長の１／２以下の場合である。このため、ギャップが２００ｎｍ以上の距離、つまりファーフィールド状態では、全反射を起こす角度でＳＩＬ端面に入射されたレーザ光源からの光は全てＳＩＬ端面で反射され、戻り光量は一定となる。ところが、ギャップ長が２００ｎｍ以下の距離、つまりニアフィールド状態になると、全反射を起こす角度でＳＩＬ端面に入射された光の一部がＳＩＬ端面を突き抜けるため、全反射戻り光量は小さくなる。そして、ＳＩＬとディスクとのギャップがゼロ、つまりＳＩＬとディスクが接触すると、全反射を起こす角度でＳＩＬ端面に入射された光が全てＳＩＬ端面を突き抜け、全反射戻り光量はゼロとなる。この技術は、かかる全反射戻り光量をフォトディテクタで検出し、これをＳＩＬのアクチュエータ（例えばフォーシングサーボ及びトラッキングサーボを行うための２軸デバイス）にフィードバックしてＳＩＬのギャップサーボを行うものである（例えば、特許文献１参照。）。
【手続補正４】
【補正対象書類名】明細書
【補正対象項目名】００１１
【補正方法】変更
【補正の内容】
【００１１】
集光素子とは、対物レンズ、または、対物レンズを含む光学系等を指し、離接機構により可動するものであればよい。前記集光素子はSolid Immersion Lensを有していてもよい。前記光源から出射される光は青色または青紫色レーザ光であってもよい。
【手続補正５】
【補正対象書類名】明細書
【補正対象項目名】００２３
【補正方法】変更
【補正の内容】
【００２３】
次に、この光ディスク駆動装置１の全体的な動作について説明する。例えば記録媒体と
なる光ディスク４７が光ディスク駆動装置１にセットされる。ＬＤ３１から出射されたレーザ光はコリメータレンズ３２により平行光とされ、アナモフィックプリズム３３により整形される。ＢＳ３４に入射したレーザ光は、ＢＳ３４によりそのままＱＷＰ４３に入射する光と、集光レンズ３８へ入射する光とに分割される。集光レンズ３８に入射したレーザ光は上述のようにオートパワーコントローラ４１によってレーザ光のパワーが一定に制御される。ＱＷＰ４３に入射した光は、このＱＷＰ４３により直線偏光が円偏光とされ、色収差補正レンズ４４により色収差が補正され、拡張用レンズ４５及びコリメータレンズ４６を介して集光素子５に入射する。